(57)【要約】【課題】各商品見本を均一に照明できるとともに、各商品見本の視認性が高く、かつ簡単な構造でもって安価に製造することができる自動販売機用照明器具を提供する。【解決手段】縦横に配列された複数の商品見本６に対面して配置された平板状の導光板２２と、この導光板２２の一側端側に配置された光源２１とを備えるとともに、導光板２２の商品見本６の配置側と反対側の裏面には略全面にわたって反射部材２３が設けられ、また、導光板２２の商品見本６の配置側には、少なくとも各商品見本６を上下に区画する箇所に反射部材２４が設けられている。【選択図】図３
2009282724.tif 000002
【特許請求の範囲】
【請求項１】
縦横に配列された複数の商品見本に対面して配置された平板状の導光板と、この導光板の一側端側に配置された光源とを備えるとともに、前記導光板の前記商品見本の配置側と反対側の裏面には略全面にわたって反射部材が設けられ、さらに、前記導光板の前記商品見本の配置側には、少なくとも前記商品見本を上下に区画する箇所に反射部材が設けられていることを特徴とする自動販売機用照明器具。
【請求項２】
前記導光板の裏面側に設けられた反射部材は、導光板の裏面上に形成されたドットパターンと、さらにその裏面側に設けられた白色の反射シートとからなり、前記ドットパターンは、その配置密度が前記光源から離れるのに従って次第に大きくなるように形成されていることを特徴とする請求項１に記載の自動販売機用照明器具。
【請求項３】
前記商品見本は、商品を模した形状が印刷された光透過性のシールを前記導光板の表面に貼付け、または商品を模した形状を導光板の表面に直接印刷してなることを特徴とする請求項１または請求項２に記載の自動販売機用照明器具。
【発明の詳細な説明】
【技術分野】
【０００１】
本発明は、自動販売機用照明器具に係り、特には販売機本体の前面に設けられた展示スペース内に縦横に配列された複数の商品見本をその裏側から照明する場合の視認性を高めるための技術に関する。
【背景技術】
【０００２】
一般に、自動販売機は、略箱型状の販売機本体の前面に、商品の補充、入れ替え等の際に開閉される主扉を設け、この主扉の上部に透明カバーパネルを設け、この透明カバーパネルの内側に展示スペースが形成され、この展示スペース内に所定間隔を存して複数の商品見本が縦横に配列されている。
【０００３】
このような、自動販売機においては、夜間や日陰に設置された場合でも各商品見本が十分に視認できるように、各商品見本を照明するための光源が設けられている。この場合の光源としては、従来、蛍光灯が広く使用されているが、蛍光灯は長寿命化やメンテナンスの面で不十分である。
【０００４】
そのため、従来技術では、光源として多数のＬＥＤ（発光ダイオード）を所定ピッチでアレー状に配置してユニット化してなるＬＥＤランプを使用し、商品見本の裏側に反射面を有する導光板を配置し、この導光板の一側端面に上記のＬＥＤランプを対向配置し、ＬＥＤランプからの光を導光板に導入した後、その導入された光を導光板の裏側の反射面で反射させて各商品見本を照明するようにしたものが提案されている（例えば、下記の特許文献１参照）。
【特許文献１】特許２００６−３３１０１６号公報
【発明の開示】
【発明が解決しようとする課題】
【０００５】
しかしながら、上記の特許文献１記載の従来技術では、単に導光板で光を均一に反射させて商品見本を照明する構造のため、展示スペース内を全般的に均一照明することになり、その結果、商品見本が配列されていない周辺部分も同時に明るくなって商品見本の視認性が不十分になるという問題がある。
【０００６】
本発明は、上記の課題を解決するためになされたもので、個々の商品見本を均一に照明するとともに、各商品見本の視認性を高めた自動販売機用照明器具を提供することを目的とする。
【課題を解決するための手段】
【０００７】
上記目的を達成するために、請求項１記載の発明に係る自動販売機用照明器具は、縦横に配列された複数の商品見本に対面して配置された平板状の導光板と、この導光板の一側端側に配置された光源とを備えるとともに、前記導光板の前記商品見本の配置側と反対側の裏面には略全面にわたって反射部材が設けられ、さらに、前記導光板の前記商品見本の配置側には、少なくとも前記商品見本を上下に区画する箇所に反射部材が設けられていることを特徴としている。
【０００８】
また、請求項２記載の発明に係る自動販売機用照明器具は、請求項１に記載の発明の構成において、前記導光板の裏面側に設けられた反射部材は、導光板の裏面上に形成されたドットパターンと、さらにその裏面側に設けられた白色の反射シートとからなり、前記ドットパターンは、その配置密度が前記光源から離れるのに従って次第に大きくなるように形成されていることを特徴としている。
【０００９】
また、請求項３記載の発明に係る自動販売機用照明器具は、請求項１または請求項２に記載の発明の構成において、前記商品見本は、商品を模した形状が印刷された光透過性のシールを前記導光板の表面に貼付け、または商品を模した形状を導光板の表面に直接印刷してなることを特徴としている。
【発明の効果】
【００１０】
請求項１記載の発明によれば、光源からの光は直接に導光板を透過して商品見本に照射されるとともに、反射部材で反射された後、導光板を透過して商品見本に照射される。その場合、導光板の商品見本の配置側には、少なくとも商品見本を上下に区画する箇所に反射部材が接合されているので、上下隣接する商品見本以外の箇所を透過した光は反射部材で反射されて外部に漏れ出ない。したがって、展示スペース内を全般的に照明するのではなく、商品見本を集中的に照明することになるため、展示スペース内において商品見本とそれ以外の箇所とのコントラストが明確になり、各商品見本の視認性が高くなる。
【００１１】
また、請求項２記載の発明によれば、請求項１記載の発明の効果に加えて、導光板の裏面側に設けられた反射部材を構成するドットパターンは、その配置密度が光源から離れるのに従って次第に大きくなるように形成されているので、光源から離れるほどドットパターンによる光の反射量が増加する。これにより、光源からの距離に関係なく、個々の商品見本を均一に明るく照明することができる。
【００１２】
また、請求項３載の発明によれば、請求項１または請求項２記載の発明の効果に加えて、商品見本を極限まで薄くすることができるため、自動販売機の商品収納スペースを広げたり、自動販売機自体の厚みを薄く軽量にすることが可能となる。
【発明を実施するための最良の形態】
【００１３】
以下、本発明の実施の形態について、図面を参照して詳細に説明する。図１は本発明の自動販売機用照明器具が適用された自動販売機の正面図、図２は同自動販売機の照明器具の部分を拡大して示す正面図、図３は図２のＡ−Ａ線に沿った断面図である。
【００１４】
この実施の形態において、自動販売機１は、略箱型状の販売機本体２の前面に、商品の補充や入れ替え等の際に開閉される主扉３が設けられ、この主扉３の上部前面に透明カバーパネル４が設けられている。そして、この透明カバーパネル４の内側に展示スペース５が形成され、この展示スペース５内には縦横に複数の商品見本６が配列されている。
【００１５】
すなわち、展示スペース５内には商品見本６が所定間隔を存して複数横並びに配列された状態で上下複数段にわたって設けられている。各商品見本６は、商品形状を模して光透過性材料を立体的に形成したもので、その表面に銘柄が表示されている。また、各々の商品見本６の下端側には、商品選択押ボタン７が個別に設けられている。さらに、主扉３の透明カバーパネル４よりも下方には硬貨投入口８や紙幣投入口９、釣銭返却口１０が設けられ、さらにその下方には商品取出口１１が設けられている。
【００１６】
また、商品見本６よりも裏面側には照明器具２０が設けられている。この照明器具２０は、光源２１、導光板２２、反射部材２３、２４を備え、この照明器具２０が前方が開口した略箱型のケース２６とこのケース２６の前方側を覆う上記の透明カバーパネル４とからなる筐体２７内に収納されている。
【００１７】
ここに、光源２１は、筐体２７内において導光板２２の上端に配置されている。この光源２１は、筐体２７の幅方向に沿って延びる回路基盤２１ａ上に多数のＬＥＤ２１ｂを所定ピッチでアレー状に配置してユニット化してなるＬＥＤランプから構成されている。
【００１８】
導光板２２は、商品見本６に近接して配置されており、この導光板２２は、例えばアクリル樹脂等のプラスチック製の平板からなる。なお、導光板２２はガラス製のものも可能のである。
【００１９】
そして、導光板２２の商品見本６側の表面は、サンドブラスト等の処理によって微細な凹凸の拡散面として形成されている。一方、導光板２２の商品見本６の配置側と反対側の裏面には略全面にわたって反射部材２３が設けられている。
【００２０】
この反射部材２３は、導光板２２の裏面上に例えば白色塗料を印刷等によって塗布してなる円形のドットパターン２３ａと、さらにその裏面に配置接合された白色の紙材等でできた反射シート２３ｂとからなる。
【００２１】
そして、このドットパターン２３ａは、図４に示すように、その配置密度が光源２１から離れるのに従って次第に大きくなるように形成されている。すなわち、各ドットパターン２３ａは、光源２１から近い部分ではその直径を最も小さくし、光源２１から中程度離れた部分ではその直径も中程度にし、光源２１から最も離れた部分ではその直径を最も大きくする。これにより、ドットパターン２３ａによって反射される光の反射率は、光源２１から離れるのに従って次第に大きくなる。
【００２２】
なお、上記の説明では、ドットパターン２３ａは円形のものとしたが、これに限らず、例えば図５に示すように、六角形状（同図（ａ））や、三角形状（同図（ｂ））に形成したものであってもよい。また、各ドットパターン２３ａの直径を変化させる代わりに、各ドットパターン２３ａの直径は同じで、光源２からの距離に応じて各ドットパターン２３ａの互いの隣接間距離を変えることによっても配置密度を変化させることが可能である。
【００２３】
さらに、この実施の形態の特徴として、上記の導光板２２の商品見本６の配置側の表面には、当該商品見本６を上下に区画する箇所に、筐体２７の幅方向に沿って延びる帯状の反射部材２４が接合されている。また、導光板２２の左右の側端面、および底面にも同様に反射部材２４が接合されている。これらの反射部材２４は、例えば白色塗料を塗布した薄肉のシートの貼付、あるいはアルミ箔の貼付、または導光板２２に直接にアルミ蒸着を施すなどして構成されている。
【００２４】
上記構成の照明器具２０において、図６に示すように、光源２１からの光は、導光板２２に導入された後、直接に導光板２２を透過して商品見本６に照射されるとともに、反射シート２３の内面のドットパターン２３ａで反射された後、導光板２２を透過して商品見本６に照射される。その場合、ドットパターン２３ａは、その配置密度が光源２１から離れるのに従って次第に大きくなるように形成されているので、光源２１から離れるほど反射部材２３による光の反射量が増加する。これにより、光源２１からの距離に関係なく、個々の商品見本６を均一に照明することができる。
【００２５】
また、導光板２２には、商品見本６を上下に区画する箇所に反射部材２４が接合されているので、導光板２２から出射した光は、これらの反射部材２４で内方に向けて再び反射され、商品見本６が配置されていない部分に余分に光が漏れ出て明るくなることが回避される。これにより、展示スペース５内を全般的に照明するのではなく、商品見本６を集中的に照明することができて商品見本６と他の部分とのコントラストが明瞭になり、各商品見本６の視認性が高くなる。
【００２６】
なお、上記の実施の形態では、導光板２２の裏面側に設けた反射部材２３は、ドットパターン２３ａと反射シート２３ｂとで構成したが、反射部材２４と同様に、例えば白色塗料を塗布した薄肉のシートの貼付、あるいはアルミ箔の貼付、または導光板２２に直接にアルミ蒸着を施すなどして構成することも可能である。
【００２７】
また、上記の実施の形態において、商品見本６は、商品形状を模して立体的形成されものであったが、これに限らず、例えば図７に示すように、商品見本６は、商品の平面形状を印刷した光透過性のシールを導光板２２の表面に貼付け、または商品の平面形状を導光板２２の表面に直接印刷して形成するようにすることも可能である。
【００２８】
このようにすれば、商品見本６が導光板２２の表面に密接して両者６，２２間の空気層による光量損失を低減できるので、商品見本６をより効率良く照明できるとともに、商品見本６を極限まで薄くすることができるため、自動販売機の商品収納スペースを広げたり、自動販売機自体の厚みを薄く軽量にすることが可能となる。
【図面の簡単な説明】
【００２９】
【図１】本発明の実施の形態における自動販売機用照明器具が適用された自動販売機の正面図である。
【図２】同自動販売機の照明器具の部分を拡大して示す正面図である。
【図３】図２のＡ−Ａ線に沿った断面図である。
【図４】導光板の裏面側に形成されたドットパターンを示す正面図である。
【図５】同ドットパターンの変形例を示す図である。
【図６】自動販売機用照明器具の商品見本に対する照明作用の説明図である。
【図７】本発明の自動販売機用照明器具で照明される商品見本の変形例を示す断面図である。
【符号の説明】
【００３０】
１    自動販売機
６    商品見本
２０    自動販売機用照明器具
２１    光源
２２    導光板
２３    反射部材
２３ａ  ドットパターン
２３ｂ  反射シート
２４    反射部材
【図１】
2009282724.tif 000003
【図２】
2009282724.tif 000004
【図３】
2009282724.tif 000005
【図４】
2009282724.tif 000006
【図５】
2009282724.tif 000007
【図６】
2009282724.tif 000008
【図７】
2009282724.tif 000009